Podtech/llm-jp-corpus-v4-ja_patent huggingface dataset:
(57)【要約】      （修正有）【課題】ボルト穴に粉塵が入り込みにくくするための、着脱性および粉塵の当接に対する強度に優れたボルト穴キャップを提供する。【解決手段】本体１のザグリ穴のボルト２を締めた残りのスペースに、引きつけナット３、サイドクランプ５、締めナット４およびボルト６により構成されたキャップ本体を挿入し、ボルト６を締めることにより引きつけナット３に締めナット４がひきつけて、サイドクランプ５をザグリ穴の側壁に圧接させて固定する。【選択図】図１
2011012802.tif 000002
【特許請求の範囲】
【請求項１】
ボルト穴に粉塵等が入り込みにくくする為の防塵具。
【請求項２】
強度及び着脱性を兼ね備えた防塵具。
【発明の詳細な説明】
【技術分野】
【０００１】本発明は、産業用のボルト穴に粉塵などが入り込むのを防止する事に関する。
【背景技術】
【０００２】従来あるボルトキャップなどは樹脂やはめ込み式など使用制限が限られているものがある。
【先行技術文献】
【特許文献】
【０００３】
【特許文献１】特開平０７−３５８１４号
【特許文献２】
【非特許文献】
【０００４】
【非特許文献１】
【発明の概要】
【発明が解決しようとする課題】
【０００５】以上に述べた従来のボルト穴キャップでは、使用制限が限られ、強度的にも難がある。【０００６】例えば、旋盤等の爪部にあるボルト穴は、その物自体が回転し切削した粉塵などが直接当たるため強度と着脱が必要となる。【０００７】本発明は、従来の問題点を解決しようとするものであり、ボルト穴に粉塵などが入り込まなくする事を目的とするものである。
【課題を解決するための手段】
【０００８】本発明は、上記目的を達成するために強度と着脱を可能にする構造を新規に開発したものである。
【発明の効果】
【０００９】上述したように本発明のボルト穴防塵具は、強度と着脱性を兼ね備える事ができる。【００１０】また、穴事態に切削した粉塵が入り込みにくい為、製品の着脱時に起きる粉塵等の挟み込み等を軽減することができるので不良品の低下にもつながる。【００１１】また、穴に粉塵が入り込みにくい為、ボルト自体の寿命ものびる。
【図面の簡単な説明】
【００１２】
【図１】本発明の実施形態を示す断面図
【図２】本発明の構造を示す三角図
【発明を実施するための形態】
【００１３】以下、本発明の実施の形態を図１〜図２に基づいて説明する。
【００１４】図１において、本体１のザグリ穴にたいして、ボルト２を締めた状態の残りのスペースにキャップを入れ締めボルト６を締める事により締めナット４が引き寄せられサイドクランプ５が穴の壁面側に開き強固に取り付けられる。
【００１５】また、ボルト６を緩める事により締めナット４が離れサイドクランプ５がフリーになりキャップ本体が取り外せる様になる。
【００１６】図２において、キャップ本体の名所を及び構造を示す。引き付けナット３ａと締めナット４ａ及びサイドクランプ５ａ・５ｂ・５ｃはボルト７ａにて一体になっている。
締めボルト６にて引き付けナット３ａ締めナット４ａを締め付けることにより締めナット４ａに設けられた山とサイドクランプ５ａ・５ｂ・５ｃに設けられた谷アールによりサイドクランプ５ａ・５ｂ・５ｃが開閉し穴壁面に固定される
【実施例】
【００１７】産業用のＮＣ旋盤の生爪に装着し切削の粉塵などが入り込みにくいか、また、強度及び着脱性が有るかを検証。検証結果、別紙写真１〜１０
【図１】
2011012802.tif 000003
【図２】
2011012802.tif 000004
(57)【要約】【課題】露処理カバーが不要で、作業工数の低減を図った空気調和機を提供する。【解決手段】熱交換器２の前面側にドライ回路または配管ブロック５を有する空気調和機において、外郭を構成する前面枠７と、前記前面枠７から設けられた露処理形状９を具備し、前記露処理形状９に、通風抵抗にならないように縦長状にスリット１０を設けたもので、従来の露処理カバーを廃止することが可能となり、作業工数の低減、部品点数の削減にも繋がりコストダウンになる。【選択図】図１
2011012841.tif 000002
【特許請求の範囲】
【請求項１】
熱交換器の前面側にドライ回路または配管ブロックを有する空気調和機において、外郭を構成する前面枠と、前記前面枠から設けられた露処理形状を具備し、前記露処理形状に、通風抵抗にならないように縦長状にスリットを設けたことを特徴とする空気調和機。
【発明の詳細な説明】
【技術分野】
【０００１】
本発明は、空気調和機に関するもので、特に、熱交換器の前面側にドライ回路を有する空気調和機に関するものである。
【背景技術】
【０００２】
従来のこの種の空気調和機は、ドライ回路または配管ブロックについた露が撥水した熱交換器に滴下した時に前面枠から露が飛びだすといった問題があった。
【０００３】
この問題を解決するために、ドライ回路または配管ブロックについた露を熱交換器に誘い込むための露処理カバーが提案されている（例えば、特許文献１参照）。
【０００４】
図２は、上記特許文献１に記載された従来の空気調和機の空気調和機本体の正面図、図３は、同空気調和機本体の前面枠の斜視図、図４は、同空気調和機の熱交換器の斜視図、図５は、同空気調和機本体の断面図である。
【０００５】
図２〜５において、従来の空気調和機の空気調和機本体１の内部には、熱交換器２と、送風機３と、風回路４がそれぞれ配設され、熱交換器２の前面側には、ドライ回路または配管ブロック５が配置され、さらにその前面側には、ドライ回路または配管ブロック５の露処理による露処理カバー６が具備されている。また外郭を構成する前面枠７から空気調和機本体１が構成されている。
【先行技術文献】
【特許文献】
【０００６】
【特許文献１】実開昭５８−４９１２号公報
【発明の概要】
【発明が解決しようとする課題】
【０００７】
しかしながら、上記特許文献１に記載されたような従来の空気調和機の構成では、ドライ回路または配管ブロック５の露処理を行うためにドライ回路または配管ブロック５の前面側に、露処理カバー６を配置するため、部品点数が増え、作業工数がかかりコストＵＰになるという課題があった。
【０００８】
本発明は、上記従来の課題を解決するもので、安価な構成で、ドライ回路または配管ブロックについた露が撥水した熱交換器に滴下した時に前面枠から露が飛び出すことのない空気調和機を提供することを目的とする。
【課題を解決するための手段】
【０００９】
前記従来の課題を解決するために、本発明の空気調和機は、熱交換器の前面側にドライ回路または配管ブロックを有する空気調和機において、外郭を構成する前面枠と、前記前面枠から設けられた露処理形状を具備し、前記露処理形状に、通風抵抗にならないように縦長状にスリットを設けたもので、露処理カバーを廃止することが可能となり、作業工数の低減、部品点数の削減にも繋がりコストダウンになるという効果が得られる。
【発明の効果】
【００１０】
本発明の空気調和機は、露処理カバーを廃止することが可能となり、作業工数の低減、部品点数の削減にも繋がりコストダウンになる。
【図面の簡単な説明】
【００１１】
【図１】（ａ）本発明の実施の形態１における空気調和機の空気調和機本体の断面図、（ｂ）同空気調和機本体の要部拡大断面図
【図２】従来の空気調和機の空気調和機本体の正面図
【図３】同空気調和機本体の前面枠の斜視図
【図４】同空気調和機の熱交換器の斜視図
【図５】同空気調和機本体の断面図（図２のＡ−Ａ断面）
【発明を実施するための形態】
【００１２】
第１の発明は、熱交換器の前面側にドライ回路または配管ブロックを有する空気調和機において、外郭を構成する前面枠と、前記前面枠から設けられた露処理形状を具備し、前記露処理形状に、通風抵抗にならないように縦長状にスリットを設けたもので、露処理カバーを廃止することが可能となり、作業工数の低減、部品点数の削減にも繋がりコストダウンになるという効果が得られる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の空気調和機本体の断面図である。なお、上記従来の空気調和機と同一部分については同一符号を付してその説明を省略する。
【００１５】
本実施の形態における空気調和機は、図１に示すように、外郭を構成する前面枠７から露処理形状９を設け、さらに通風抵抗にならないように縦長状のスリット１０を設けたもので、これにより、従来の露処理カバーを廃止することが可能となり、作業工数の低減、部品点数の削減にも繋がり、コストダウンが図れる、という効果が得られる。
【産業上の利用可能性】
【００１６】
以上のように、本発明にかかる空気調和機は、露処理カバーを廃止することが可能となり、作業工数の低減、部品点数の削減にも繋がりコストダウンができるもので、各種空気調和機に適用できる。
【符号の説明】
【００１７】
１  空気調和機本体
２  熱交換器
３  送風機
４  風回路
５  ドライ回路または配管ブロック
７  前面枠
９  露処理形状
１０  スリット
【図１】
2011012841.tif 000003
【図２】
2011012841.tif 000004
【図３】
2011012841.tif 000005
【図４】
2011012841.tif 000006
【図５】
2011012841.tif 000007
(57)【要約】【課題】  高尿酸血症の患者は年々増加の傾向を示している。血中尿酸値の正常値の上限である、７ mg/dlを超えると、痛風、痛風性関節炎及び腎障害等として発症する。高尿酸血症の治療としては、血中尿酸値をコントロールする薬剤が投与されが、このような薬剤としては、作用が緩和であること、持続性があること、副作用の少ないことなどを満たすことが望まれる。【解決手段】  ローヤルゼリーまたはその抽出物を有効成分として含有することを特徴とする、高尿酸血症の予防または改善剤。【選択図】  なし【特許請求の範囲】
【請求項１】
ローヤルゼリーまたはその抽出物を有効成分として含有することを特徴とする、高尿酸血症の予防または改善剤。
【発明の詳細な説明】
【技術分野】
【０００１】
本発明は、高尿酸血症の予防または改善剤に関する。
【背景技術】
【０００２】
高尿酸血症の患者は年々増加の傾向を示している。血中尿酸値の正常値の上限である、７ mg/dlを超えると、痛風、痛風性関節炎及び腎障害等として発症する。高尿酸血症の治療としては、血中尿酸値をコントロールする薬剤が投与されるが、このような薬剤としては、作用が緩和であること、持続性があること、副作用の少ないことなどを満たすことが望まれる。一方で、高尿酸血症を予防または改善する食品も求められている。例えば、特許文献１には、茶ポリフェノールを有効成分として含有する尿酸値低下剤が開示されている。
【０００３】
一方、ローヤルゼリーまたはその抽出物は様々な生理活性を有することが報告されている。例えば、骨形成促進作用、骨粗鬆症予防作用、コラーゲン合成促進作用（特許文献２）等が挙げられる。
【先行技術文献】
【特許文献】
【０００４】
【特許文献１】特開２００２−３７０９８０号公報
【特許文献２】特開２００６−２９０８１３号公報
【発明の概要】
【発明が解決しようとする課題】
【０００５】
本発明の目的は、安全性が高く、かつ、優れた血中尿酸値低下効果を有する高尿酸血症の予防または改善剤を提供することにある。
【課題を解決するための手段】
【０００６】
本発明は、ローヤルゼリーまたはその抽出物を有効成分として含有することを特徴とする、高尿酸血症の予防または改善剤を提供するものである。
【発明の効果】
【０００７】
本発明によれば、安全性が高く、かつ、優れた血中尿酸値低下効果を有する高尿酸血症の予防または改善剤を提供することができる。
【発明を実施するための形態】
【０００８】
以下、本発明をさらに詳しく説明する。
ローヤルゼリーは、周知のように、蜜蜂のうち日齢３〜１２日の働き蜂の下咽頭腺および大腮腺から分泌される分泌物からなる乳白色のゼリー状物質である。本発明において使用されるローヤルゼリーは、生ローヤルゼリー、乾燥ローヤルゼリーのいずれでもよい。ローヤルゼリーの産地としてもとくに制限されず、中国、台湾、日本等のアジア諸国、ヨーロッパ諸国、北または南アメリカ諸国のいずれの産地でもよい。
また本発明で使用されるローヤルゼリーの抽出物は、生ローヤルゼリーまたは乾燥ローヤルゼリーを水やアルコール等の極性溶媒に浸漬させて得られる抽出物である。極性溶媒としては、水；メタノール、エタノール、ブタノール、プロパノール等の炭素数１〜６の低級アルコール；これらの混合物等が挙げられる。中でも水、エタノール水溶液が好ましい。
また、必要に応じて、ローヤルゼリーまたはその抽出物は、公知の手段において精製してもよい。
【０００９】
ローヤルゼリーまたはその抽出物の成人一日あたりの摂取量は、特に限定されるものではないが、ローヤルゼリーとしての質量換算で、好ましくは０．００１〜３０ｇ、より好ましくは０．００１〜２０ｇ、さらに好ましくは０．０１〜１０ｇである。
【００１０】
本発明の高尿酸血症の予防または改善剤は、錠剤、ピル、カプセル、顆粒、粉末、散剤、液剤等の固形または溶液の形態（以下、製剤ともいう）に公知の方法により適宜調製することもできる。即ち、本発明に有用な固形製剤または液状製剤は、ローヤルゼリーまたはその抽出物と所望により添加剤とを混合し、従来充分に確立された公知の製剤製法を用いることにより製造される。添加剤としては、例えば賦形剤、ｐＨ調整剤、清涼化剤、懸濁化剤、希釈剤、消泡剤、粘稠剤、溶解補助剤、崩壊剤、結合剤、滑沢剤、抗酸化剤、コーティング剤、着色剤、矯味矯臭剤、界面活性剤、可塑剤または香料などが挙げられる。
【実施例】
【００１１】
以下、実施例により本発明を詳しく説明するが、本発明はこれに限定されるものではない。
【００１２】
市販の日本産乾燥ローヤルゼリーを乾燥粉砕し、粉末１を調製した。
また、市販の日本産生ローヤルゼリー１ｋｇに９０％容量エタノール２．５Ｌを加えて室温で２時間撹拌した後、吸引濾過し、得られた抽出液を減圧乾固し、残渣を粉末化することにより、ローヤルゼリーの抽出物からなる粉末２を調製した。
【００１３】
実施例１
実験方法
供試動物はWistar系ラット雌（８週令、体重約180g）を１群６匹で用いた。
試験飼料に0.75％の濃度でアデニンを加えてラットに給与し、腎臓からの尿中への尿酸排泄阻害を起こさせて高尿酸血症のモデル動物とした。
対照群は、上記の0.75％アデニン飼料のみ、薬剤投与群は、０．７５％アデニンと上記粉末１または粉末２含有飼料とした。飼料は自由摂取としたが、薬剤投与群の試験飼料中の上記粉末１または粉末２の濃度を、摂取量が１ｍｇ／ｋｇ体重となるように調整した。試験開始日及び24日目に血中の尿酸値を測定した。
その結果、対照群の試験開始日の血中尿酸濃度は、０．５７ｍｇ／ｍｌであり、２４日目が２．３３ｍｇ／ｍｌであったのに対し、薬剤投与群の２４日目の血中尿酸濃度は粉末１が０．７６ｍｇ／ｍｌ、粉末２が０．７３ｍｇ／ｍｌであった。
この結果から明らかなように、対照群では血中尿酸濃度が大幅に増加するのに対し、薬剤投与群ではいずれもその濃度は増加しなかった。したがって、ローヤルゼリーまたはその抽出物は、高尿酸血症の予防または改善剤として有用であることが示された。
【００１４】
実施例２
ヒト（健常男子成人志願者）６例に上記粉末１の５ｇを１回経口投与し、その後48時間にわたり血清中の尿酸値を測定した。
結果を表１に示す。
【００１５】
【表１】
2011012022.tif 000002
【００１６】
なお、上記ではローヤルゼリーの抽出物を得るのに９０容量％エタノールを用いたが、その替わりに、水（室温）、１０〜８０容量％のエタノール水溶液を用いてもほぼ同様の効果を示した。
(57)【要約】      （修正有）【課題】省エネ化、効率化を図った暖房器具を提供する。【解決手段】金属製の外箱３の内部に水銀灯発光管１を取り付け、外箱の内部に熱媒（液体）２を満たして外箱３に蓋をした構造の暖房機。水銀灯発光管１の電源をオンにすると水銀灯が点灯し、蒸気圧が一気圧を超え、蒸気中の電流密度が増すと、蒸気温度は急に上昇し、約２０００度に達する原理を利用する。【選択図】図２
2011012943.tif 000002
【特許請求の範囲】
【請求項１】
図２において、１の発熱体の熱流が２の熱媒に伝わり、次に３の金属製の外箱に伝わり、最後に空中に放熱されるもので、１の発熱体は水銀灯発光管で製作し、その電源をオンにすると水銀灯が点灯し、蒸気圧が一気圧を超え、蒸気中の電流密度が増すと、蒸気温度は急に上昇し、約２０００度に達する原理を利用した水銀灯発光管による加熱装置である。
【請求項２】
図１、図２、図３において、金属製の外箱の内部に水銀灯発行管を取り付け、外箱の内部に熱媒（液体）を満たして外箱に蓋をした構造だが、内圧による危険防止の為、８の膨張弁を取り付け、外箱底部と電気回路部に熱流を伝えないため、特定箇所に断熱材を使用することで、簡単な安全対策を考慮した水銀灯発光管による加熱装置である。
【発明の詳細な説明】
【技術分野】
【０００１】本発明は水銀灯発光管を熱源として使うための工夫である。
【背景技術】
【０００２】従来の技術ではアーク炉、誘導加熱、誘電加熱、ニクロム線、カーボン抵抗器、ハロゲンランプ等で電気エネルギーを熱エネルギーに変換しているが、これらの方法では省電力化が難しい。【０００３】まず従来の技術で効率が良いものだけを説明しますと、アーク炉の場合、直接アーク炉と間接アーク炉の二種類があり、直接アーク炉では、電源が三相８０Ｖ〜２５０Ｖで加熱温度は１，６００℃以上になり、後者では、電源が単相８０Ｖ〜１４０Ｖで加熱温度は１０００℃〜１５００℃になります。
次に、誘導加熱の場合、無鉄心型と有鉄心型の二種類があり、無鉄心型は、るつぼのまわりに巻かれたコイルに交流電流を流し、それによって、るつぼ中の被熱物（電気導体）にうず電流を誘起させ、その電流による発熱を利用しているが、ここでは有鉄心型の説明は省略する。
最後に誘電加熱について、この加熱装置（マグネトロン）は家庭用電子レンジに多く使用されているが、これの被熱物（誘電体）の単位体積あたりの電力損失は、電界の強さの二乗に比例し、周波数ｆ、比誘電率εｓ、誘電体力率ｔａｎΘの積に比例する。
【先行技術文献】
【特許文献１】
【０００４】特開平０７−１３９８１３  公報
【非特許文献１】
【０００５】日本資格技能協会  第三種電気主任技術者講座  テキスト機械ＩＩの３４頁〜３５頁
【発明の概要】
【発明が解決しようとする課題】
【０００６】冬は熱源を暖房器具として使用するが、従来の方法で熱量を発生させるのでは抵抗値が大きく、消費電力も大きい。高周波を使用したものも同様である。
【課題を解決するための手段】
【０００７】本発明は、従来の構成が有していた問題点を解決しようとするものであり、少ない消費電力で大きな熱量を発生させることを実現することを目的とする。
【発明の効果】
【０００８】少ない消費電力で電気エネルギーを大きな熱エネルギーに変換できる。
これにより、暖房器具、電気ボイラーの省エネ化が可能。
【発明を実施するための形態】
【０００９】以下、本発明の実施の形態を図１、図２、図３に基づいて説明する。
【００１０】図１においては、１は熱源で、スィッチがオンになると光と熱量を発生し、時間の経過と共に２の熱媒に熱流が伝わると３の金属製外箱に熱流が伝わり、最後に空中に放熱される構造である。
【００１０】図３においては図１の試作品にファンを取り付け、１０を中空のフィンとしたものである。
【実施例】
【００１１】本発明の注意点を図１、図２、図３に基づいて説明する。
８の膨張弁は、風船またはベローズの様な構造とし、熱媒の体積変化による内圧を逃がすことにより、破裂を防止する。【００１２】図１、図３において、３の外箱と１２の電気回路部の間には１２の電気回路部の熱流による誤動作と損傷を防止するため、断熱構造とする。【００１３】図１、図２において、１１の土台（または脚）と３の外箱本体の下部には熱流が伝わらないように、３の外箱本体の下に断熱材１３を使用する。
【産業上の利用可能性】
【００１４】暖房器具、電気ボイラーへの応用。
【符号の説明】
【００１５】  １  発光管
２  熱媒
３  外箱
４  熱流
５  過熱防止回路
６  温度計
７  温度センサー
８  膨張弁
９  ファン
１０  フィン
１１  土台（脚）
１２  電気回路部
１３  断熱材
【図面の簡単な説明】
【００１６】
【図１】試作図
【００１７】
【図２】原理図
【００１８】
【図３】試作図
【図１】
2011012943.tif 000003
【図２】
2011012943.tif 000004
【図３】
2011012943.tif 000005
(57)【要約】      （修正有）【課題】建枠間に渡した足場踏板に巾木を固定する場合に、工具などを利用することなく、足場用巾木の設置を簡単に行う固定具に関する。【解決手段】巾木固定具１は、足場踏板２に差し込み固定する金具４と巾木３を固定する二枚の板からなる巾木装着部分から構成されている。巾木固定具１を足場踏板２の上部から差し込むことにより巾木固定具１を足場板２に固定し、次に巾木固定金具１の巾木装着部分に巾木３を装着することにより、簡単に足場用巾木を設置することが可能となる。【選択図】図１
2011012529.tif 000002
【特許請求の範囲】
【請求項１】
足場に固定するための固定部分と、巾木の端部を支持するための巾木装着部分を備え、前記固定部は、足場踏板に差し込み簡単に取り付け固定が出来ることと、前記巾木装着部は、巾木を差し込み支持させることを特徴とする足場用の巾木固定具。
【発明の詳細な説明】
【技術分野】
【０００１】本発明は、足場用巾木の設置を簡単に行う固定具に関するものである。
【発明の概要】
【発明が解決しようとする課題】
【０００２】解決しようとしている問題点は、作業効率の改善のためである。
【課題を解決するための手段】
【０００３】本発明は、工具などを使うことなく固定が可能であることを最も主要な特徴とする。
【発明を実施するための形態】
【０００４】この巾木固定具（１）は、図２に示すように、足場踏板（２）に差し込み固定する金具（４）と、巾木（３）を装着する巾木装着部分（５）で構成されている。
【図面の簡単な説明】
【０００５】
【図１】この発明の一実施形態に係る足場を示す平面図と側面図である。
【図２】この発明である巾木固定具の詳細平面図と詳細側面図である。
【図１】
2011012529.tif 000003
【図２】
2011012529.tif 000004
(57)【要約】【課題】駐車場ゲートは電気エネルギーで動作し、電力の供給は不可欠である。しかし電力供給配線に多額の費用がかかる場合や、商用電力供給ができない場所もある。本発明は、その電力の全てをソーラーパネルの発電電力で賄うことを課題とする。【解決手段】駐車場ゲート筺体外部に取り付けられたソーラーパネルの発電電力をチャージコントローラ経由で蓄電池に適正に充電された電源装置を有することで開閉用電動機・リモコン受信機・電動機制御装置その他の全ての電力を賄うことが可能となり屋外であれば場所を選ばず設置できる。【選択図】図１
2011012387.tif 000002
【特許請求の範囲】
【請求項１】
ワイヤレスリモコン駐車ゲートにおいて、ソーラーパネルからソーラーチャージャーを経由し蓄電池に電力を蓄電した電源装置を有し、その電力の全てをソーラーパネルの発電電力で賄うのを特徴とした駐車場ゲート。
【発明の詳細な説明】
【技術分野】
【０００１】
本発明は、ソーラーパネルから発生する電力を蓄電池に蓄電した電気エネルギーのみで作動する駐車場ゲートである。
【背景技術】
【０００２】
駐車場ゲートは商用電源と非常用電源を併設常備し停電対策を施している。設置工事は駐車場工事と並行して行い、制御回路と電源回路は屋外の場合は、地中に埋設されている。
【０００３】
しかし、既設の駐車場に設置する場合は、駐車場舗装面をカットし地中を掘り下げて工事を行わなければならないので多大の経費を要する。さらに電源を建物から引く場合は、建物にも手を加えなければならないからゲート本体以上の工事費がかかる場合がある。
【０００４】
このように、ゲート本体より高額な工事費がかかることが既設駐車場に設置する場合の最大の障害となる。  
【０００５】
この改善策として、既設駐車場工事の場合はピット方式があるが費用の削減にはあまりならなく、さらに車両通過時の騒音問題が発生する。
【先行技術文献】
【特許文献】
【０００６】
【特許文献１】特開２００６−１６７９２号公報
【特許文献２】特開２００２−６１４１１号公報
【特許文献３】特開２０００−１１２９７号公報
【発明の概要】
【発明が解決しようとする課題】
【０００７】
既設駐車場に設置する場合の高額設置費用を解決しようとする場合の問題点は、ゲートの電源の確保である。
【課題を解決するための手段】
【０００８】
本発明は、遮断棒の開閉装置とリモコン受信機の電力の全てをソーラーパネルの発電電力で賄い、商用電源の配線を省略し大幅な設置工事費削減につながる。
【発明の効果】
【０００９】
本発明の駐車場ゲートは個別駐車スペース個々に設置することで特にその効果が発揮できる。指定車スペースに他の車が駐車することを防止できることや、車いす駐車スペースに健常者が駐車することの防止に特に効果的である。
【００１０】
指定車駐車スペースには指定車専用リモコンを配布し、車いす駐車スペースには共通リモコンを配布することによって完全に目的外駐車を防止できるという利点がある。
【００１１】
また、複数の連続した駐車スペースの出入り口に設置すれば遮断機の設置台数を節約でき費用対効果がさらに増す。
【図面の簡単な説明】
【００１２】
【図１】図１はワイヤレスリモコン式ソーラー駐車場ゲートの電気系統図と機構配置図である。（実施例１）
【図２】図２はワイヤレスリモコン式ソーラー駐車場ゲートの正面、立面図である。（実施例２）
【図３】図３はワイヤレスリモコン式ソーラー駐車場ゲートの配置平面である。（実施例２）
【図４】図４はワイヤレスリモコン式ソーラー駐車場ゲートの設置側面図である。（実施例２）
【発明を実施するための形態】
【００１３】
ソーラーパネルは通常太陽光に直角に設置するのが最も発電量が多く効果的で太陽方向追従方式が最も発電電力量が多くなる、しかし一般的には固定式が多くソーラーパネルの表面処理により太陽光入射角がずれても発電量がそれほど減少しない処理が施されている。
【００１４】
本装置にはこの表面処理を施したソーラーパネルを三角屋根両側に固定し、太陽光入射角がずれてもそれほど発電電力が低下せず、ソーラーチャージャーを通しバッテリーに適切な充電を行う。蓄電池から電動機制御装置を通しゲート駆動電動機に電源が供給されている。
【００１５】
同様に蓄電池からワイヤレスリモコン受信機にも電源が供給されリモコン子機からの信号受信を常時待機している。
【実施例１】
【００１６】
図１は、本発明装置の１実施例の系統図であって、１〜８は、本体内蔵または外部取り付けである。リモコン送信機は運転者が常時携帯しゲートを開閉操作する。
【実施例２】
【００１７】
図２は設置模試図で正面、立面図である。
【００１８】
図３は設置模試図で平面図である。
【００１９】
図４は設置模試図で側面、立面図である。
【産業上の利用可能性】
【００２０】
筺体に取付けたソーラーパネルはゲートの開閉動作及びリモコン受信機に十分な電力を得るための能力があり、かつ地域による日照時間にも十分考慮したサイズを選択するため筺体を使用上十分な大きさを確保してある。従って、本ゲートは単独で動作するので本体のみの設置工事で使用可能であるから非常に安価に設置可能である。
【符号の説明】
【００２１】
１    ソーラーパネル
２    チャージコントローラ
３    端子台
４    蓄電池
５    電動機制御装置
６    減速機付き電動機
７    遮断棒
８    リモコン受信機
９    リモコン送信機
【図１】
2011012387.tif 000003
【図２】
2011012387.tif 000004
【図３】
2011012387.tif 000005
【図４】
2011012387.tif 000006
(57)【要約】      （修正有）【課題】乾燥炉の熱源装置の廃熱を熱交換器等を用いて、空調機、電着塗装及び前処理ラインの液及び水の温度制御及び維持及びその他の機器の熱源装置として再利用する。【解決手段】乾燥炉熱源で使用するＬＮＧ、ＬＰＧ、重油、廃油及び電気ヒーター等の廃熱を利用して、前処理ラインの処理槽及び洗浄槽の水を６０度Ｃ迄昇温する。また、工場内の空調に使用する空調機の熱交換器にもこの乾燥炉アフターバーナー装置の廃熱を利用した温水を用い空調を行う。【選択図】図１
2011012337.tif 000002
【特許請求の範囲】
廃熱を利用した塗装ライン等の液及び水の温度制御及び維持
【発明の詳細な説明】
本発明によれば、塗装ライン等で使用する乾燥炉の熱源装置からの廃熱を利用し、塗装ライン等で使用する他の機器の熱源装置として熱の再利用を行う。
【図１】
2011012337.tif 000003
【手続補正書】
【提出日】平成21年9月29日(2009.9.29)
【手続補正３】
【補正対象書類名】明細書
【補正対象項目名】全文
【補正方法】変更
【補正の内容】
【発明の詳細な説明】
【技術分野】    乾燥炉で使用する加熱用バーナーの廃熱を利用して、周辺機器及び室内の空調を行う。  この廃熱を利用することにより、周辺機器及び室内の空調に必要なボイラー及び空調用加熱用機器等を設けずに各々の周辺機器及び空調機の機能を満足させることができる。
【発明の概要】
添付図面の乾燥炉に使用するアフターバーナー装置の廃熱を利用して、前処理ラインの処理槽及び洗浄槽の水を６０度Ｃまで昇温及び制御する。  また、工場内の空調に使用する空調機の熱交換器にもこのアフターバーナー装置の廃熱を利用して工場内の空調を行う。
【図面の簡単な説明】
【図１】添付図面の乾燥炉の加熱用及び脱臭装置（アフターバーナー）の廃熱を熱交換器を使用して再加熱し、更に水を入れたタンク（槽）の水温を上昇させる。  これにより、槽内の水温を管理温度内で制御する。
(57)【要約】【課題】ゲーム用での怪我防止や、操作性向上用の手袋はない。手のひらで回転棒を回したり、押し込む際に、打撲や摩擦による怪我が発生する。又、複数ボタン操作の際に、摩擦で操作しずらい事が現状である。手のひらで回転棒を回す際に、摩擦による怪我から守る。手のひらで回転棒を押し込む際に、打撲から守る。複数ボタン連打の際に、スムーズに操作できるようにする。【解決手段】手のひらの打撲や摩擦による怪我を回避する為に、手袋の手のひら部分にクッションを設置した。これにより、手のひらの打撲や怪我を回避できるようになった。手袋を手首まで装着することで、複数ボタン連打の操作を、摩擦で怪我すること無く、手の側面を滑らす事で可能になり、操作性も向上した。【選択図】図１
2011012377.tif 000002
【特許請求の範囲】
【請求項１】
本発明は、ゲームをする際に、手の摩擦による怪我や打撲を低減させて、ゲームの操作性を向上するために使用する事を特徴とした、ゲーム用クッション付き手袋である。
【発明の詳細な説明】
【技術分野】
【０００１】本発明は、ゲームをする際に発生する、ゲームコントローラーと手の摩擦による痛みや怪我を低減し、ゲーム操作性を向上する事のできる、ゲーム用クッション付き手袋である。
【背景技術】
【０００２】ゲーム用での怪我防止や、操作性向上用の手袋はない。
【発明の概要】
【発明が解決しようとする課題】
【０００３】手のひらで回転棒を回す際に、摩擦による怪我から守る。
手のひらで回転棒を押し込む際に、打撲から守る。
複数のボタン操作の際に、スムーズに操作できるようにする。
【課題を解決する為の手段】
【０００４】手のひらの打撲や摩擦による怪我を回避する為に、手袋の手のひら部分にクッションを設置した。これにより、手のひらの打撲や怪我を回避できるようになる。手袋を手首まで装着することで、複数ボタン連打の操作を、摩擦で怪我すること無く、手の側面を滑らす事で可能になり、操作性も向上する。
【発明の効果】
【０００５】手袋の手のひら部分にクッションを設置した事により、打撲や怪我を回避できるようになった。
手袋を手首まで装着することで、複数のボタン操作を、摩擦で怪我すること無く、手の側面を滑らす事で可能になり、操作性も向上した。
【図面の簡単な説明】
【０００６】
【図１】本発明の側面図、上面図、斜面図、拡大図である。
【図２】ゲーム用手袋の使用例の図
【符号の説明】（１）ゲーム用クッション付き手袋の手のひらクッション部。
（２）ゲーム用クッション付き手袋の手の側面部。
（３）ゲーム用クッション付き手袋の指部。
（４）ゲーム用コントローラの回転棒部。
（５）ゲーム用コントローラのボタン部。
【発明を実施するための形態】
【０００７】ゲーム用クッション付き手袋の使用方法。
ゲーム用クッション付き手袋を手に装着する。
回転棒部の操作。
図１の（１）の部分を図２の（４）の部分へあてて、通常操作の回転を行う。
ボタン部の操作。
図１の（２）を図２の（５）の部分へあてて滑らせたり、押したりする。
【図１】
2011012377.tif 000003
【図２】
2011012377.tif 000004
(57)【要約】【課題】帽子表面の絵柄や色を変化させたり、さまざまな動画を放映することが出来たりして、帽子の付加価値が高まり、また企業等のコマーシャルが放映出来る帽子を作る。【解決手段】帽子前面にフレキシブルディスプレイを設置して、帽子のつばの内面にそのディスプレイを制御する電池を含む小型電子機器を収納する。電源はソーラー電池でもよい。【選択図】図１
2011012375.tif 000002
【特許請求の範囲】
【請求項１】
帽子の外側前面に静止画や動画を表示出来るフレキシブルで薄いディスプレイを取り付け、帽子のつばの内空にそのディスプレイをコントロールする諸小型電子制御機器を収納していることを特徴とする帽子。
【発明の詳細な説明】
【技術分野】
【０００１】帽子にフレキシブルで薄いディスプレイを取り付けることによって、その帽子の絵柄や色を変えたり、動画を表示させたりすることが出来る帽子に関するものである。
【背景技術】
【０００２】静止画や動画を表示するディスプレイを、薄くしかも湾曲させることが出来る複数の技術が開発された。有機ＥＬディスプレイ、ＴＦＴ液晶ディスプレイがマスコミ、メーカーのホームページ等で公知のものとなっている。
【発明の開示】
【発明が解決しようとする課題】
【０００３】同一の帽子外面の絵柄や色を変化させたり、さまざまな動画を放映することが出来ることで、帽子の付加価値が高まり、また企業等のコマーシャルが放映出来る帽子を作る。
【課題を解決するための手段】
【０００４】帽子前面にフレキシブルディスプレイを設置して、帽子のつばの内面にそのディスプレイを制御する電池を含む小型電子機器を収納する。ソーラー電池を電源としてもよい。
【発明の効果】
【０００５】帽子の絵柄を変化させることによってＴＰＯによる使い分けが出来るようになる。例えばタイガース球団の虎の絵柄を西武ライオンズの絵柄にすることができる。また、企業のＣＭを記憶装置に入力して配布し新製品等の販売促進につなげることが出来る。
【発明を実施するための最良の形態】
【０００６】図面に添ってこの、帽子の形態を説明する。
１は斜め上から見た帽子の全体図である。２は帽子の前面でありフレキシブルなディスプレイが取り付けられた様子である。３はつば内部に収納された前記ディスプレイを作動、表示させるための電池を含む小型電子制御装置である。図示しないが帽子のつばの表面にソーラーパネルを取り付け、電源として使う事も可能である。
【産業上の利用可能性】
【０００７】斬新なアピール力をもった商品としての帽子、及び新型の広告宣伝媒体として活用出来る。
【図面の簡単な説明】
【０００８】
【図１】実施形態及び構成要素を示した図である。
【図１】
2011012375.tif 000003
(57)【要約】      （修正有）【課題】上着の縫製で無駄なく生地を使用し、模様柄も簡単に合わせられるようにする。【解決手段】一枚の長方形の生地から上着を作り、また元の一枚の長方形に戻すことも可能な服を作成する。裁断をほとんどすることなく、折り紙のように生地を折り曲げ、特定の位置にファスナーＧ１，Ｈ１と面ファスナーをつけるだけで従来の一般的な上着の形を作る。切り込みを入れ、折り畳みながらファスナーと面ファスナーのみを使用し作成。ファスナーを開け閉めすることにより様々な着こなし方が可能である。また、生地の破れなども従来の服では解かないと直せないような箇所でも、平面に戻すことが可能になることにより、修繕が大変容易になる。【選択図】図６
2011012376.tif 000002
【特許請求の範囲】
【請求項１】
一枚の長方形の生地が上着になったり、元の一枚の長方形に戻したりすることができる服。
【発明の詳細な説明】
【技術分野】
【０００１】    本発明は、一枚の長方形の生地から無駄なく上着を作ることができ、さらに元の一枚の長方形に戻すことを可能とする技術に関する。
【背景技術】
【０００２】    従来の上着は、いくつもの裁断された生地を縫製し作っていたが、この方法により、従来の上着の機能を損なうことなく、かつ生地に無駄はなく、裁断も最小限で作ることが可能である。生地の模様柄を合わせようとする場合は、縫製するのにも高度な技術が必要である。また従来の製品は未使用時の活用法などは無かった。洗濯したときにも生地に重なりがあり、すぐに乾かすことはできない。破れなどの補修が必要な破損時には、縫製を解かないと直せないような箇所もあるため直すのは困難であった。
【発明の開示】
【発明が解決しようとする課題】
【０００３】    従来の上着では、裁断をするので無駄なく生地を使用することが出来なかった。また縫製をする過程で生地の模様柄を合わせることは困難であった。そこで、本発明は無駄なく生地を使用し、模様柄も簡単に合わせられるようにすることを目的とする。ファスナーを開け閉めすることにより様々な着こなし方が可能である。また、生地の破れなども従来の服では解かないと直せないような箇所でも、平面に戻すことが可能になることにより、修繕が大変容易になる。
【課題を解決するための手段】
【０００４】    上記課題を解決するために、請求項１記載の元の長方形に戻る上着は、裁断をほとんどすることなく、折り紙のように生地を折り曲げ、特定の位置にファスナーと面ファスナーをつけるだけで従来の一般的な上着の形を作る。
【発明の効果】
【０００５】    本発明は次のような効果を奏する。
請求項１に記載されている発明は長方形の生地に戻すことができるので、風呂敷やシーツとして使用することができる。携帯性も大変よい。生地全面に絵や模様を入れられるため飾ることもでき、画期的なデザインの服として着用することができる。一枚の布なので洗濯しても大変早く乾き、破れなどの修繕も容易である。
【発明を実施するための裁量形態】
この発明の実施例について説明する。
【０００６】    図１は元の長方形の布に、切り込みとファスナー、面ファスナーをつけた図である。図６は折り畳み、ファスナーと面ファスナーを使用し上着を作った図である。
【図面の簡単な説明】
【０００７】
【図１】長方形の生地に切り込みを入れた図である。
【図２】ファスナーＸ１を開けファスナーＡ１を閉めポケット部を作った図である。
【図３】ファスナーＹ１，Ｚ１を開け、面ファスナーＢ１とＢ２、Ｃ１とＣ２を合わせ、ファスナーＤ１を閉めた図である。
【図４】ファスナーＥ１を閉めた図である。
【図５】ファスナーＦ１を閉めたところの正面と後ろから見た図である。
【図６】左側も同じようにして作り、ファスナーＧ１を閉めフード部分もできた完成図である。
【符号の説明】
【０００８】Ａ１・・・ファスナー
Ｂ１、Ｂ２、Ｃ１、Ｃ２・・・面ファスナー
Ｄ１、Ｅ１、Ｆ１、Ｇ１、Ｈ１、Ｘ１、Ｙ１、Ｚ１・・・ファスナー
【図１】
2011012376.tif 000003
【図２】
2011012376.tif 000004
【図３】
2011012376.tif 000005
【図４】
2011012376.tif 000006
【図５】
2011012376.tif 000007
【図６】
2011012376.tif 000008
(57)【要約】【課題】従来、墓用構造物の主要素材は御影石や大理石が用いられてきたが、それだけでは現在の多様化した墓のニーズに対応できない。【解決手段】墓用構造物の主要素材として宝石または宝石の原石を用いる。特に、比較的安価で大きな原石を入手できる紅水晶を用いる。【選択図】図１
2011012479.tif 000002
【特許請求の範囲】
【請求項１】
宝石または宝石の原石を主要素材とした墓用構造物。
【請求項２】
前項記載の宝石または宝石の原石を、紅水晶とした請求項１記載の墓用構造物。
【発明の詳細な説明】
【技術分野】
【０００１】
本発明は、墓を構成する墓石、花立、香炉、供物台、供養塔、慰霊碑、記念碑、モニュメントなどの墓用構造物に関する。
【背景技術】
【０００２】
従来、墓用構造物の主要素材としては御影石または大理石を用いるのが通例である(例えば特許文献１または特許文献２参照。）
【先行技術文献】
【特許文献】
【０００３】
【特許文献１】特開２００４−２７６４８８
【特許文献２】実登３０７１２８９
【発明の概要】
【発明が解決しようとする課題】
【０００４】
従来、墓用構造物の主要素材として、宝石や宝石の原石が用いられることはなかった。なぜなら、高価、希少、小さい、割れ易いという問題があるためである。
【０００５】
しかしながら、現在は墓の形態も多様化し、従来の地味な概念を抜け出した墓が求められるようになってきた。また、人の墓だけでなく、愛玩動物の墓に対するニーズも非常に高まってきている。
【０００６】
このような観点から従来技術を検討していくと、特許文献１における墓のように、御影石を用いた墓だけでは様々なニーズに対応することができなくなってきている。
【０００７】
また特許文献２のように大理石を用いたものは、酸に弱く、変色しやすく、耐久性が劣る。
【課題を解決するための手段】
【０００８】
前記課題を解決するための一手段として本発明では、墓用構造物の主要素材として宝石または宝石の原石を用いることとした。
【０００９】
また、できるだけ大きいものが多く産出する宝石または宝石の原石を選択し、さらに、主に愛玩動物用の墓用構造物に用いることで、高価、希少、小さいという問題を解決する。
【００１０】
また、割れ易いという課題は、宝石または宝石の原石の微細な割れ目にあらかじめ樹脂を注入しておくことで解決する。
【発明の効果】
【００１１】
宝石または宝石の原石を墓用構造物の主要素材に用いることで、従来よりも美しく明るい墓ができ、慰霊に訪れる人の心を癒し、また、手厚く葬ることができたという満足感をも与えることができ、墓に対する多様なニーズの一端を解決することができる。
【図面の簡単な説明】
【００１２】
【図１】墓用構造物を示した斜視図である。
【発明を実施するための形態】
【００１３】
以下、本発明の実施の形態を実施例に基づいて説明する。
【実施例】
【００１４】
墓用構造物の主要素材として、比較的安価に大きな原石が入手できる紅水晶を用い、割れ目の少ない部分を選んでカットする。さらに、カットした石の表面に割れ防止用の透明な樹脂を塗り、微細な割れ目に樹脂を浸透させる。
【００１５】
カットした石は、あまり大きな墓用構造物を必要としない愛玩動物用墓石として用いる。
【００１６】
紅水晶を用いた墓石は光を通すこともでき、陽の光を浴びた時に荘厳な雰囲気を生み出す。
【産業上の利用可能性】
【００１７】
愛玩動物用の墓用構造物として非常に高いニーズが期待される。
【符号の説明】
【００１８】
１    墓石
２ａ  花立
２ｂ  花立
３    香炉
【図１】
2011012479.tif 000003
(57)【要約】【課題】簡単な構造で、流体を連続的に圧縮することが可能な回転式圧縮機を提供する。【解決手段】球形のケース（１）内部空間を密着した二組の円錐状のロータ（２、３）と遥動可能に接合された二枚の半円形の羽（６、７）とで仕切り、同期して回転させることにより流体を圧縮することを特徴とする。【選択図】図１
2011012665.tif 000002
【特許請求の範囲】
【請求項１】
内面が球形のケースに底面円が内接し、内球面の中心を頂点とする二つの円錐体のロータを、母線同士で密着させて、回動可能に設け、半円状の平板で、弧がケースの内面と摺接し、内球面の中心を通る弦で遥動可能に接合した二枚の羽を、ロータの中心軸を通る面上で摺動し、ロータと同期して、回動自由に設けた圧縮機。
【請求項２】
羽の軌道を設けた、請求項１の圧縮機。
【請求項３】
ロータの円錐部を可鍛性にした、請求項１の圧縮機。
【請求項４】
ケースの内球面の中心に、球状のコアを設けた、請求項１の圧縮機。
【発明の詳細な説明】
【技術分野】
【０００１】この発明は、圧縮機に関するものである。
【背景技術】
【０００２】円形内面のケースに出入り可能な固定羽を設け、ケース内で、偏芯した円形のロータを回転させ、仕切られる隙間の変化量を利用して、流体を移動するロータリポンプは、主に、小規模なヒートポンプ用の圧縮機として利用されている。
【発明の開示】
【発明が解決しようとする課題】
【０００３】ロータリポンプは、ロータの回転軸が偏芯しているので、ロータと固定羽との接触面の曲率は常に変化し、線接触となり、磨耗しやすく、磨耗が進むと、流体の漏れが発生したり、高速回転すると、振動が原因で騒音が出やすい。【０００４】本発明は、以上のような問題を解決するためになされたものである。
【課題を解決するための手段】
【０００５】（ア）球内面を持つケースに、底面円が内接し、内球面の中心、以下「球心」とする、を      頂点とする二つの円錐体のロータを、円錐の母線同士で密着させて、回動可能に設      ける。
なお、ロータの円錐部を可鍛性の材料で構成して密着させてもよい。
（イ）半円状の平板で、弧がケースの内球面と摺接し、球心を通る弦で遥動可能に接合し      た二枚の羽を、ロータの中心軸を通り、母線間をつなぐ溝に摺動自由に差し込み、      ケース内面とロータと羽との摺動部を封止し、ロータと同期して回動自由に設ける      。
（ウ）二つのロータの交点を含む底面円と、二つのロータの中心軸を通る面に直角で、ロ      ータの中心軸を含む面がケース内面との交わる線とで囲まれる範囲に、ケースを貫      通する口を設ける。【０００６】本発明は、以上の構成からなる圧縮機である。
【発明の効果】
【０００７】本発明によれば、ロータが回転すると、ロータと羽で仕切られるケースの内部空間、以下「室」とする、の容積が変化する。【０００８】片側のロータの軸を右回転（時計回り）すると、片側のロータの底面円から見て、ロータ同士の交点の右の口に通じる室の容積が常に増え、左の口に通じる室の容積は常に減る。【０００９】両方の口に、任意の流体通路をつなぎ、ロータを回転することにより、流体は、連続して、一方の口から吸い込まれ、圧縮され、他方の口から吐出される。【００１０】一方の口から作動流体を流し込むと、室の容積が増える方向に、ロータが回転し、回転力が得られる。【００１１】稼動部が円運動するので、高速回転でも振動が少なく、小型高性能化することができる。【００１２】ケースが球形を基調としているので、圧力が掛かっても、変形が少なく、軽量化ができる。【００１３】室を構成している要素同志の封止は、ロータ同志の密着部を除いて、球面を基調とした面接触にできるので、封止構造を形成し易く、封止部の磨耗を少なくできる。【００１４】単純な構造の少ない要素で構成されているので、製作が容易で、安価にできる。【００１５】ロータの円錐部を可鍛性の材料にすると、ロータ同士の密着部の気密性をよくすることができる。
【発明を実施するための最良の形態】
【００１６】以下、本発明を実施するための最良の形態について説明する。
【実施例１】
【００１７】図１、２は、この発明の第一実施例を示したものである。【００１８】（ア）内面が球形のケース１に内接する球状底面円を持ち、球心を頂点とする円錐体の二      つのロータ２およびロータ３を円錐の母線同士で密着させ、ロータ２の底面円に連      なる同芯の軸４およびロータ３の底面円に連なる同芯の軸５を、ケース１を貫通さ      せ、ケース１内面とロータ２、ロータ３の底面円との間を封止し、回動可能に設け      る。
（イ）半円状の平板で、ケース１内面と弧が摺接し、弦が球心を通る羽６および羽７を、      球心を中心とする球状のコア８を設け、羽６、７の弦に直角に三分割し、中央を羽      ６と、両側を羽７と一体にし、羽６、７の弦の長さで、厚みを直径とするライナー      ９を、弦方向にコア８に設けた穴１０に通して枢着し、ロータ２、ロータ３の頂点      部および羽６、羽７がコア８と干渉する部分を取り除き、羽６、羽７の弦側を、弦      を中心として、ライナー９の半径とロータ２、３の円錐の頂角とで切り込み、ライ      ナー９を挟み、ロータ２およびロータ３の中心軸を通り、母線間をつなぐ、羽６お      よび羽７の厚みを幅とする溝１１および溝１２に摺動自由に差し込み、揺動可能に      接合する。
（ウ）ロータ２、ロータ３の円錐部の共通接線面とケース１内面との交線を中心として、      ケース１内面に、断面が凹形の軌道１３を設け、内面をケース１内面の同一延長面      とする、軌道１３に沿ったリング１４を回動自由に設け、内面とライナー９とを接      合する。
（エ）ロータ２およびロータ３の交点を含む底面円と、ロータ２およびロータ３の中心軸      を含む面に直角で、中心軸を含む面がケース１内面との交わる線で囲まれる範囲に      、軸４からみて、ロータ２とロータ３との交点の右側にケース１を貫通する口１５      、左側に口１６を設ける。
（オ）口１５、口１６にそれぞれ、流体通路（図示しない）をつなぐ。【００１９】本発明は、以上の構成からなり、軸４を右に回転すると、口１５につながる室の容積が常に増加し、口１６につながる室の容積は減少する。従って、流体は、連続して、口１５から吸い込まれ、圧縮され、口１６から吐出される。【００２０】口１５から流体を押し込むと口１５に通じる室の容積が増える方向に、軸４が右回転する。【００２１】軌道１３により、羽２、３の弦の回転面が固定されるので、回転が安定する。【００２２】コア８により、ロータ２、３および羽６、７の頂点および中心が固定されるので、遥動、回転が安定する。
【図面の簡単な説明】
【００２３】
【図１】本発明の第一実施例の斜視図である。
【図２】本発明の第一実施例の断面図（ａ）および部分断面図（ｂ）である。
【符号の説明】
【００２４】１  ケース
２、３  ロータ
４、５  軸
６、７  羽
８  コア
９  ライナー
１０  穴
１１、１２  溝
１３  軌道
１４  リング
１５、１６  口
【図１】
2011012665.tif 000003
【図２】
2011012665.tif 000004